(57)【要約】【課題】  マルチモード光導波路以外の方法で、光フィルタの配置の厳密さを緩和することができる光合分波器及び光システムを提供する。【解決手段】  本発明による光システムは、光の伝搬方向に延びる第１の光結合路(14)と第２の光結合路(16)とを有する方向性結合器(2)と、第１の光結合路(14)の一方の側に接続された第１の光導波路(4)と、第２の光結合路(16)の一方の側に接続された第２の導波路(6)と、第１の光結合路(14)の他方の側に接続された第３の光導波路(8)と、第１の光結合路(14)及び第２の光結合路(16)を横切るように設けられた、光フィルタ(12)を設置するための光フィルタ設置手段(26)と、を有する。本発明による光合分波器(1)は、光システムの溝(26)に光フィルタ(12)が設置される。【選択図】      図１
2007017520.tif 000002
【特許請求の範囲】
【請求項１】
光の伝搬方向に延びる第１の光結合路と第２の光結合路とを有する方向性結合器と、
前記第１の光結合路の一方の側に接続された第１の光入出力手段と、
前記第２の光結合路の一方の側に接続された第２の光入出力手段と、
前記第１の光結合路の他方の側に接続された第３の光入出力手段と、
前記第１の光結合路及び前記第２の光結合路を横切るように設けられた、光フィルタを設置するための光フィルタ設置手段と、を有することを特徴とする光システム。
【請求項２】
前記第１の光入出力手段及び前記第２の光入出力手段と前記光フィルタ設置手段との間の前記方向性結合器の部分に、第１の方向性結合器部を構成し、
前記第３の光入出力手段と前記光フィルタ設置手段との間の前記方向性結合器の部分に、第２の方向性結合器部を構成し、
前記第１の方向性結合器部は、前記第２の方向結合器部に対して、光の伝搬方向と垂直の方向にオフセットされていることを特徴とする請求項１に記載の光システム。
【請求項３】
前記光フィルタ設置手段は、前記方向性結合器に設けられた溝であることを特徴とする請求項１又は２に記載の光システム。
【請求項４】
前記第１、第２、及び第３の光入出力手段が、シングルモード光導波路であることを特徴とする請求項１〜３のいずれか１項に記載の光システム。
【請求項５】
前記第１及び第２の光入出力手段がシングルモード光導波路で、前記第３の光入出力手段が光ファイバであることを特徴とする請求項１〜３のいずれか１項に記載の光システム。
【請求項６】
請求項１〜５のいずれか１項の光システムの前記光フィルタ設置手段に光フィルタが設置された光合分波器。
【発明の詳細な説明】
【技術分野】
【０００１】
本発明は、光合分波器及び光システムに関し、更に詳細には、方向性光結合器を使用した光合分波器及び光システムに関する。
【背景技術】
【０００２】
近年、高速・大容量通信のための光波長多重（ＷＤＭ：Wavelength Division Multiplexing）通信システムの研究が盛んに行われている。光波長多重通信システムに使用される重要な光部品の１つに、複数の波長の光を合波又は分波する光合分波器がある。かかる光合分波器の例として、直線光導波路型光合分波器及びマルチ光導波路型光合分波器が特許文献１に開示されている。
【０００３】
特許文献１に開示されている直線光導波路型光合分波器を、図３を参照して説明する。図３は、直線光導波路型光合分波器の概略図である。直線光導波路型光合分波器１００は、互いに角度２θで交差している第１の直線光導波路１０２及び第２の直線光導波路１０４と、２つの直線光導波路が交差している部分に設けられた光フィルタ１０６と、光フィルタ１０６を挟んで第１の直線光導波路１０２の延長線上に設けられた第３の直線光導波路１０８とを有している。光フィルタ１０６は、誘電体多層膜で形成されている。また、光フィルタ１０６は、その等価的な反射中心面１０６ａが上記３つの直線光導波路１０２、１０４、１０８のそれぞれの光軸１０２ａ、１０４ａ、１０８ａの交点１１０を通り且つ第１の直線光導波路１０２と第２の直線光導波路１０４とが反射中心面１０６ａに対して鏡像の関係になる向きに配置されている。
【０００４】
特許文献１には、１．３μｍと１．５μｍの２波長の光の伝搬に関する記載しかないが、３波長の光に応用した場合、たとえば、図３の直線光導波路型光合分波器１００において、光フィルタ１０６を、波長１．５５μｍ帯の光を透過し且つ波長１．４９μｍ帯及び１．３１μｍ帯の光を反射するＬＰＦ（Long wavelength Pass Filter）とすれば、第１の直線光導波路１０２に入射された波長１．５５μｍの光は、光フィルタ１０６を透過して第３の直線光導波路１０８に伝搬され、第１の直線光導波路１０２に入射された波長１．４９μｍ及び波長１．３１μｍの光は、光フィルタ１０６で反射して第２の直線光導波路１０４に伝搬される。また、光フィルタ１０６を、波長１．５５μｍ帯の光を反射し且つ波長１．４９μｍ帯及び１．３１μｍ帯の光を透過するＳＰＦ（Short wavelength Pass Filter）とすれば、第１の直線光導波路１０２に入射された波長１．５５μｍの光は、光フィルタ１０６で反射して第２の直線光導波路１０４に伝搬され、第１の直線光導波路１０２に入射された波長１．４９μｍ及び波長１．３１μｍの光は、光フィルタ１０６を透過して第３の直線光導波路１０８に伝搬される。
【０００５】
特許文献１に開示されているマルチモード光導波路型光合分波器を、図４を参照して説明する。図４は、マルチモード光導波路型光合分波器の概略図である。マルチモード光導波路型光合分波器２００は、第１のシングルモード光導波路２０２、第２のシングルモード光導波路２０４、及び第３のシングルモード光導波路２１２と、光フィルタ２０６を挟んでその両側に配置された第４のマルチモード光導波路２０８及び第５のマルチモード光導波路２１０を有している。第１及び第２のシングルモード光導波路２０２、２０４は、光フィルタ２０６と反対側の第２のマルチモード光導波路２０８の端面に接続され、第３のシングルモード光導波路２１２は、光フィルタ２０６と反対側の第５マルチモード光導波路２１０の端面に接続されている。
【０００６】
このマルチモード光導波路型光合分波器２００において、光フィルタ２０６を、波長１．５５μｍ帯の光を反射し且つ波長１．４９μｍ帯及び１．３１μｍ帯の光を透過するＳＰＦ（Short wavelength Pass Filter）とすれば、第１の光導波路２０２に入射された波長１．５５μｍの光は、第４のマルチモード光導波路２０８を伝搬し、光フィルタ２０６で反射し、再び第４のマルチモード光導波路２０８を伝搬して第２の光導波路２０４に出射される。第１の光導波路２０２に入射された波長１．４９μｍ及び波長１．３１μｍの光は、第４のマルチモード光導波路２０８を伝搬し、光フィルタ２０６を透過し、第５のマルチモード光導波路２１０を伝搬して第３の光導波路２１２に出射される。
【０００７】
【特許文献１】特開２００２−６１５５号公報（図１、図９）
【発明の開示】
【発明が解決しようとする課題】
【０００８】
直線導波路型光合分波器１００においては、光フィルタ１０６（ＬＰＦ）が上述した位置及び向きに配置されていれば、第１の直線光導波路１０２に入射された波長１．４９μｍ及び波長１．３１μｍの光は、光の波長の違いとは無関係に、光フィルタ４０６で反射され、第２の直線光導波路１０４に入射される。従って、波長１．４９μｍ及び波長１．３１μｍの光の第２の直線光導波路１０４への挿入損失の差は、ほとんどない。しかしながら、光フィルタ１０６が上述した位置及び向きから少しでもずれると、光フィルタ１０６で反射した光が第２の直線光導波路１０４に入射せず、両波長の光の第２の直線光導波路１０４への挿入損失が著しく増大する。第２の直線光導波路１０４への光の挿入損失を低減するためには、光フィルタ１０６を上述した位置及び向きに厳密に配置することが必要であり、これを実現するにはかなりの手間がかかるという欠点がある。
なお、特許文献１には、この欠点を解消するためにマルチモード光導波路を採用した光合分波器２００が開示されているが、本発明は、特許文献１と異なる側面から上記欠点を解消する光合分波器を提供するものである。
【０００９】
即ち、本発明の目的は、マルチモード光導波路を用いないで、光フィルタの配置の厳密さを緩和できる光合分波器及び光システムを提供することにある。
【課題を解決するための手段】
【００１０】
上記目的を達成するために、本発明による光システムは、光の伝搬方向に延びる第１の光結合路と第２の光結合路とを有する方向性結合器と、第１の光結合路の一方の側に接続された第１の光入出力手段と、第２の光結合路の一方の側に接続された第２の光入出力手段と、第１の光結合路の他方の側に接続された第３の光入出力手段と、第１の光結合路及び第２の光結合路を横切るように設けられた、光フィルタを設置するための光フィルタ設置手段と、を有することを特徴としている。
【００１１】
このように構成された光システムにおいて、例えば、光フィルタ設置手段に設置される光フィルタが第１の波長及び第２の波長の光を透過し、第３の波長の光を反射する場合、例えば、第３の光入出力手段から入射された第１の波長及び第２の波長の光は、第２の光結合路から第１の光結合路に乗り移りながら光フィルタを透過して、第１の光入出力手段に伝搬され、第１の光入出力手段から入射された第３の波長の光は、第１の光結合路から第２の光結合路に乗り移りながら光フィルタで反射して、第２の光入出力手段に伝搬される。
【００１２】
光フィルタを透過する第１の波長の光及び第２の波長の光は、その結合長が互いに異なるので、第１の光入出力手段に入射するときに第１の光結合路に完全に乗り移っていない場合があるが、光の大部分は乗り移っている。このことは、光フィルタ設置手段の位置が少しずれても変わらない。従って、従来技術の直線光導波路型と異なり、光フィルタ設置手段の位置がずれても、挿入損失が著しく増大することを防止することができ、光フィルタの配置の厳密さを緩和できる。
第１、第２及び第３の光入出力手段は、光導波路であってもよいし、光導波路と光ファイバーの組合せであってもよい。
【００１３】
また、本発明による光システムの実施形態において、好ましくは、第１の光入出力手段及び第２の光入出力手段と光フィルタ設置手段との間の方向性結合器の部分に、第１の方向性結合器部を構成し、第３の光入出力手段と光フィルタ設置手段との間の方向性結合器の部分に、第２の方向性結合器部を構成し、第１の方向性結合器部は、第２の方向結合器部に対して、光の伝搬方向と垂直の方向にオフセットされている。
このように構成された光システムでは、例えば、光フィルタ設置手段に設置される光フィルタで反射する波長の光が、第１の光入出力手段から第２の光入出力手段に伝搬されるとき、第１の光入出力手段に漏れて入射される第２の波長の光の量（反射減衰量）を低減させることができる。
【００１４】
また、本発明による光システムの実施形態において、好ましくは、光フィルタ設置手段は、方向性結合器に設けられた溝である。
また、本発明による光システムの実施形態において、第１、第２、及び第３のすべてが光入出力手段は、シングルモード光導波路であってもよいし、第１及び第２の光入出力手段がシングルモード光導波路で、第３の光入出力手段が光ファイバであってもよい。
【００１５】
また、上記目的を達成するために、本発明による光合分波器は、上述した光システムの光フィルタ設置手段に光フィルタが設置される。
【発明の効果】
【００１６】
本発明による光合分波器及び光システムにより、マルチモード光導波路を用いないで、光フィルタの配置の厳密さを緩和できる。
【発明を実施するための最良の形態】
【００１７】
以下、図面を参照して、本発明による方向性結合器型光合分波器の実施形態を説明する。図面を見やすくするために、以下に説明する図１及び２において、光合分波器の輪郭等を点線で描いた。
まず、本発明による方向性結合器型光合分波器の第１の実施形態を説明する。図１は、本発明による方向性結合器型光合分波器の第１の実施形態の概略平面図である。本実施形態では、例示として、波長１．５５μｍの光と、波長１．４９μｍの光と、波長１．３１μｍの光を伝搬させる場合を説明する。
【００１８】
図１に示すように、方向性結合器型光合分波器１は、光の伝搬方向に延びる第１の光結合路１６及び第２の光結合路１８を有する方向性光結合器２と、方向性光結合器２の一方の側に接続された第１の光入出力手段である第１の光導波路４及び第２の光入出力手段である第２の光導波路６と、方向性光結合器２の他方の側に接続された第３の光入出力手段である第３の光導波路８及び第４の光導波路１０と、第１の光結合路１６及び第２の光結合路１８を横切るように延びる光フィルタ１２とを有している。以下、方向性光結合器を単に光結合器と称する。
【００１９】
光結合器２は、光の伝搬方向に延びる軸線１４を有し、第１の光結合路１６及び第２の光結合路１８は、軸線１４の両側にそれと平行に配置されている。第１の光結合路１６は、第１の光導波路４と第４の光導波路１０に接続され、第２の光結合路１８は、第２の光導波路６と第３の光導波路８に接続されている。これらの光結合路１６，１８は、コア２０ａで形成され、クラッド２０ｂで包囲されている。また、これらの光結合路１６、１８は、一方の光結合路１６を伝搬してきた光が、伝搬しながら他方の光結合路１８に乗り移るように互いに近接して配置され、光結合路１６、１８のコア２０ａ間にギャップＧが形成されている。
また、光結合器２は、第１の光導波路４及び第２の光導波路６と光フィルタ１２との間に、第１の光結合器部２２を構成し、光フィルタ１２と第３の光導波路８及び第４の光導波路１０との間に、第２の光結合器部２４を構成している。
【００２０】
第１の光導波路４と第１の光結合路１６との接続部、及び、第２の光導波路６と第２の光結合路１８の接続部は、軸線に対してほぼ平行に（±５度の範囲内に）配置されていることが好ましい。第１の光導波路４及び第２の光導波路６は、光結合器２から離れるにつれて互いに遠ざかっている。第１の光導波路４及び第２の光導波路６の経路は、円弧、ｓｉｎｅ特殊関数等の曲線の経路を有していても良い。第１の光導波路４及び第２の光導波路６はそれぞれ、光結合器２と一体にＳｉ基板（図示せず）の上に積層式に形成されたコア２０ａとクラッド２０ｂとを有している。また、コア２０ａ及びクラッド２０ｂは、ポリマーで形成されることが好ましい。
第３の光導波路８及び第４の光導波路１０はそれぞれ、第２の光導波路６及び第１の光導波路４と同様である。
【００２１】
光フィルタ１２は、誘電体多層膜で形成されていることが好ましい。本実施形態では、光フィルタ１２は、波長１．３１μｍ帯の光及び波長１．４９μｍ帯の光を透過し且つ波長１．５５μｍ帯の光を反射するＳＰＦ（Short wavelength Pass Filter）である。
光フィルタ１２は、光結合器２に設けられた、光フィルタ設置手段である溝２６に取付けられることが好ましい。
【００２２】
第１の光導波路４及び第２の光導波路６と光結合器２との接合位置２８から第３の光導波路８及び第４の光導波路１０と光結合器２との接合位置３０までの距離Ｌ１は、光フィルタ１２を透過する光の一方の波長（例えば、１．４９μｍ）の結合長であることが好ましい。
ここで、結合長とは方向性光結合器２において、第１の光導波路４から入射した光パワーのすべてが第３の光導波路８へ結合する長さのことであり、近接部分（通常は直線光導波路）のみの長さではなく曲線光導波路部分の結合も加味して決定されるべきものであるが、説明をわかりやすくするため図では直線部分の長さとして記載してある。
第１の光導波路４及び第２の光導波路６と光結合器２との接合位置２８から光フィルタ１２の等価的な中心面３２までの距離Ｌ２は、反射する光の波長（１．５５μｍ）の結合長の１／２であることが好ましい。光フィルタ１２の中心面３２は、軸線１４に対して±５度の範囲内にあることが好ましい。
【００２３】
次に、本発明による方向性光結合器型光合分波器の動作を説明する。
波長１．３１μｍの光が第３の光導波路８から光結合器２に入射されると、光は、光フィルタ１２を透過し、第１の光導波路４に伝搬される。また、波長１．４９μｍの光が第１の光導波路４から光結合器２に入射されると、光は、光フィルタ１２を透過し、第３の光導波路８に伝搬される。また、波長１．５５μｍの光が第１の光導波路４から光結合器２に入射されると、光は、光フィルタ１２で反射して、第２の光導波路６に伝搬される。
【００２４】
詳細には、第１の光導波路４から入射された波長１．４９μｍの光は、結合器２０内で干渉し、結合長にわたって第１の結合路１６から第２の結合路１８に乗り移る。接合位置２８と接合位置３０との間の距離Ｌ１が波長１．４９μｍの光の結合長であれば、波長１．４９μｍの光は、第２の結合路１８に完全に乗り移った状態で第３の光導波路８に伝搬される。同様に、接合位置２８と光フィルタ１２の反射中心面３２までの距離Ｌ２が、波長１．５５μｍの光の結合長の１／２であれば、波長１．５５μｍの光は、光フィルタ１２で反射して接合位置２８まで戻ってきたときに、第２の光結合路１８に完全に乗り移り、第２の光導波路６に入射される。
第３の光導波路８から入射された波長１．３１μｍの光は、接合位置２８において、完全に乗り移った状態ではないが大部分が乗り移った状態で、第１の光導波路４に入射される。このときの挿入損失は僅かであり、本実施形態の光合分波器を用いて、光波長多重通信を行うことが可能である。
【００２５】
次に、本発明による光合分波器の第２の実施形態を説明する。図２は、本発明による光合分波器の第２の実施形態である方向光結合器型光合分波器の概略図である。第２の実施形態である方向光結合器型光合分波器５０は、上述した第１の実施形態である方向光結合器型光合分波器１とほぼ同じ構成をしており、両者の相違点は、第１の光結合器部２２がその他の光結合器部に対して光の伝搬方向と垂直の方向にオフセットされていることだけである。具体的には、第１の光結合器部２２の軸線２２ａが第２の光結合器部２４の軸線１４に対して第１の光導波路４側に横方向にオフセットされている。従って、同様の構成要素に同じ符号を付し、その説明を省略する。
また、第２の実施形態である光結合器型光合分波器５０の動作は、第１の実施形態である光結合器型光合分波器１と同様であるので、その説明を省略する。
【００２６】
上述した方向性結合器型光合分波器１は、例えば、次に説明するように作製される。
まず、Ｓｉ基板に、光ファイバーを実装するためのＶ字形断面の溝を加工し、基板上面にＳｉＯ2の膜を形成する。次に、クラッド材料としてフッ素化ポリイミドをスピンコーティングすることによって、下部クラッド層を形成する。引き続いて、下部クラッド層の上にコア材料としてクラッド材料に使用したフッ素の重合具合が異なるフッ素化ポリイミドをスピンコーティングすることによって、コア層を形成する。次いで、フォトリソグラフィ、反応性イオンエッチングにより第１〜第４の光導波路４、６、８、１０及び第１及び第２の方向性結合器１６、１８をパターンニングする。次いで、クラッド用のフッ素化ポリイミドをスピンコーティングすることによって、コア層を覆うように上部クラッド層を形成する。コア層とクラッド層との比屈折率差は０．４％であり、コア層の厚さは、６．５μｍであることが好ましい。次いで、ダイシング加工により光フィルタ１２を設置するための溝２６を加工する。溝２６は、軸１４を垂直に横切るように形成することが好ましい。以上の加工を、１つのＳｉ基板上で複数個の光合分波器１について同時に行うことが好ましい。
【００２７】
次いで、光合分波器１を個片形状に切り出す。この段階で、Ｓｉ基板は、光合分波器１の軸１４方向両側に延長しており、一方の延長部には、第１及び第２の光導波路４，６に接続される光ファイバ(図示せず)を実装するためのＶ字形断面の溝(図示せず)が配置され、他方の延長部には、第３及び第４の光導波路８，１０に接続される光ファイバ(図示せず)実装するためのＶ字形断面の溝(図示せず)が配置されることが好ましい。これらの溝は、その上に光ファイバーを載せたときに、光ファイバーのコアがシングルモード光導波路４、６、８、１０のコア２０ａと整列するように構成し、パッシブ実装を可能にする。光フィルタ１２を溝２６に挿入し、接着剤で固定すると共に、光ファイバーをＶ字形断面の溝にパッシブ実装し、それらを接着剤で固定する。
【００２８】
（実施例）
上記第１の実施形態において、Ｌ２を３２０μｍ、第１の光結合路１６と第２の光結合路１８との間のギャップＧを３．５μｍ、第１の光導波路４及び第２の光導波路６、第１の光結合路１６及び第２の光結合路１８のコア幅を６．２μｍとした時、第１の光導波路４から入射し光フィルタ１２で反射して第２の光導波路６に伝搬する波長１．５５μｍの光の過剰損失は−０．１３ｄＢであった。
【００２９】
（比較例）
図５は、フィルタ位置に対する過剰損失の依存性を実施例及び２つの比較例について示す図である。各比較例は以下のとおりである。
第１の比較例は、光フィルタがＳＰＦである直線光導波路型光合分波器である。図３に示す直線光導波路型光合分波器１００において、第１及び第２及び第３の直線光導波路１０２、１０４、１０８の幅を６．２μｍ、θを８°とした時、第１の光導波路１０２から光フィルタ１０６で反射して第２の光導波路１０４へ伝搬する波長１．５５μｍの光の過剰損失は、図５の点線で示すように、光フィルタ１０６の位置ずれに対して非常に敏感である。つまり光フィルタ１０６の位置を高精度に加工する必要がある。
【００３０】
第２の比較例は、光フィルタがＳＰＦであるマルチモード光導波路型光合分波器である。図４に示すマルチモード光導波路型光合分波器２００において、各パラメータを以下のように定めた。
第１の光導波路２０２のコア幅：６．２μｍ
第２の光導波路２０４のコア幅：６．２μｍ
第４のマルチモード光導波路２０８のコア幅：１６．８μｍ
第４のマルチモード光導波路２０８の長さＬＭ：２４２．５μｍ
図５の二点鎖線で示すように、第１の光導波路２０２から入射し、光フィルタ２０６で反射して第２の光導波路２０４へ出射する波長１．５５μｍの過剰損失は、光フィルタ２０６の位置に対して鈍感であり、光フィルタ２０６の位置の加工裕度が大きいので量産性に優れている。しかしながら、第２の比較例は、本発明に比べて過剰損失が大きかった。
【００３１】
図５から分かるように、実線で示す本発明の実施例は、第１及び第２の比較例と比較して、過剰損失の光フィルタ位置依存性を小さくすることができた。従って、本発明により、いっそう過剰損失の小さい光合分波器を提供することが可能になった。
【００３２】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
上記実施形態では、波長１．４９μｍの光及び波長１．３１μｍの光が両方とも第１の光入出力手段から第２の光入出力手段に伝搬される場合について説明したが、両波長の光が両方とも、逆方向に、第２の光入出力手段から第１の光に入手力手段に伝搬されても良いし、両波長の光が第１の光入出力手段と第２の光入出力手段との間を互いに逆方向に伝搬されても良いし、両波長の光の伝搬方向が、時間の経過とともに変化してもよい。
【００３３】
また、上述した本願発明の光合分波器の実施形態では、溝等の光フィルタ設置手段に光フィルタを取付けた状態で説明したが、それに限らず、実際に商品として流通している、光合分波器から光フィルタを取外した光システムであっても、光フィルタを取付ければ本願発明の光合分波器となるものも本発明の範囲内にある。
また、上記実施形態では、光フィルタとしてＳＰＦ（Short wavelength Pass Filter）を使用したが、用途に応じて、ＬＰＦ（Long wavelength Pass Filter）、ＢＰＦ（Band Pass Filter）、ＳＰＦ（Short wavelength Pass Filter）及びＢＰＦ（Band Pass Filter）、ＬＰＦ（Long wavelength Pass Filter）及びＢＰＦ（Band Pass Filter）を使用してもよい。
また、光フィルタは、溝に設置されてもよいし、光合分波器として作用させるように、分離して形成された第１及び第２の光結合器部２２，２４の間に挟んで接合することによって設置されてもよい。
また、入射側には、光ファイバーでなく、該当する波長の発光素子に置き換えてもよいし、出射側には、光ファイバーでなく、該当する波長の受光素子等に置き換えてもよい。
【００３４】
また、上記実施形態において、第４の光導波路１０に光を伝搬させる必要が無ければ、それを省略してもよい。
また、光結合器２に対して第１〜第４の光入出力手段４、６、８、１０が配置される位置は、波長、光結合器２の寸法等に応じて定められることが好ましい。また、光結合器２及び各光入出力手段４、６、８、１０の形状、寸法、相対位置等は、挿入損失、クロストーク及び反射減衰量の設計に応じて定められることが好ましい。また、例えば、シングルモード光導波路４、６、８、１０の幅Ｗが互いに異なっていてもよい。
【図面の簡単な説明】
【００３５】
【図１】本発明による光合分波器の第４の実施形態である方向性光結合器型光合分波器の概略平面図である。
【図２】本発明による光合分波器の第７の実施形態である方向性光結合器型光合分波器の概略平面図である。
【図３】従来技術の直線光導波路型光合分波器の概略平面図である。
【図４】従来技術のマルチモード光導波路型光合分波器の概略平面図である。
【図５】本発明の実施例と比較例について光フィルタ位置に対する過剰損失の依存性を示す図である。
【符号の説明】
【００３６】
１、５０  方向性結合器型光合分波器
２  方向性結合器
４  第１のシングルモード光導波路
６  第２のシングルモード光導波路
８  第３のシングルモード光導波路
１０  第４のシングルモード光導波路
１２  光フィルタ
１４  第１の光結合路
１６  第２の光結合路
２２  第１の方向性結合器部
２４  第２の方向性結合器部
２６  光フィルタ設置手段
【図１】
2007017520.tif 000003
【図２】
2007017520.tif 000004
【図３】
2007017520.tif 000005
【図４】
2007017520.tif 000006
【図５】
2007017520.tif 000007